(57)【要約】【課題】  簡単な構造で、容易にバンドを取り外せるバンド取付構造および腕時計を提供する。【解決手段】  一対の取付突起部６の対向面に係止孔１３が対向して設けられたバンド取付部５と、一対の取付突起部６間に配置される端部２ａに貫通孔１１が係止孔１３と同一軸上で対応して設けられた時計バンド２と、この時計バンド２の貫通孔１１内に配置されるパイプ部１０ａの両端部から各ピン部１０ｂが弾力的に突出して一対の取付突起部６の各係止孔１３に挿入する連結部材１０と、取付突起部６に設けられ、押圧操作によってピン部１０ｂを係止孔１３内から離脱させる解除操作部１４と、を備えている。従って、解除操作部１４を押圧操作するだけの簡単な操作で、ピン部１０ｂを係止孔１３内から離脱させることができ、また一方の取付突起部６に解除操作部１４をスライド可能に設けるだけで良いので、構造が簡単である。【選択図】        図２
2015112442.tif 000002
【特許請求の範囲】
【請求項１】
一対の取付突起部の対向面にそれぞれ係止孔が対向して設けられたバンド取付部と、
前記一対の取付突起部間に端部が配置され、この端部に貫通孔が前記係止孔と同一軸上で対応して設けられたバンドと、
前記バンドの前記貫通孔内に配置されるパイプ部の端部からピン部が弾力的に突出して前記一対の取付突起部の前記係止孔に挿入する連結部材と、
前記一対の取付突起部の少なくとも一方にスライド可能に設けられ、押圧操作によって前記ピン部をその弾力に抗して押圧して前記係止孔内から離脱させる解除操作部と、
を備えていることを特徴とするバンド取付構造。
【請求項２】
請求項１に記載のバンド取付構造において、前記解除操作部は、前記取付突起部の前記係止孔内に出没可能に挿入し、かつ前記連結部材の前記ピン部によって弾力的に押される挿入突起部と、この挿入突起部を前記ピン部の弾力に抗して前記係止孔に向けて押圧する操作部とを有していることを特徴とするバンド取付構造。
【請求項３】
請求項１または請求項２に記載のバンド取付構造において、前記解除操作部が設けられた前記取付突起部には、前記連結部材の前記ピン部の先端部を前記係止孔にガイドする傾斜ガイド溝が設けられていることを特徴とするバンド取付構造。
【請求項４】
請求項１〜請求項３のいずれかに記載のバンド取付構造において、前記連結部材の前記ピン部のうち、前記解除操作部と反対側に位置する一方のピン部には、前記バンドの前記貫通孔の内径よりも大きい鍔部が設けられていることを特徴とするバンド取付構造。
【請求項５】
請求項１〜請求項４のいずれかに記載のバンド取付構造において、前記取付突起部には、前記解除操作部の外端部の一部を囲む保護部が設けられていることを特徴とするバンド取付構造。
【請求項６】
請求項１〜請求項５のいずれかに記載されたバンド取付構造を備えていることを特徴とする腕時計。
【発明の詳細な説明】
【技術分野】
【０００１】
この発明は、腕時計などの腕装着型の電子機器、または鞄、バッグなどに用いられるバンド取付構造およびそれを備えた腕時計に関する。
【背景技術】
【０００２】
例えば、腕時計のバンド取付構造においては、特許文献１に記載されているように、腕時計ケースに設けられたバンド取付部に時計バンドの端部を連結ピンによって取り付けると共に、このバンド取付部に連結ピンの端部を着脱可能に係止する着脱係止部材を設けた構成のものが知られている。
【先行技術文献】
【特許文献】
【０００３】
【特許文献１】特開平０７−３０３５０６号公報
【０００４】
このようなバンド取付構造の着脱係止部材は、バンド取付部に回転可能に取り付けられたカム筒と、このカム筒内にスライド可能に挿入してバンド取付部の外部に突出するプッシュ釦と、このプッシュ釦のスライドに伴ってカム筒を回転させる連動機構とを備えている。これにより、着脱係止部材は、時計バンドの端部に取り付けられた連結ピンの端部をカム筒内に挿入させて係止することにより、バンド取付部に時計バンドの端部を取り付けるように構成されている。
【０００５】
また、この着脱係止部材は、プッシュ釦を押圧してカム筒内でスライドさせると、プッシュ釦のスライドに伴って連動機構がカム筒を回転させ、このカム筒の回転によってカム筒に係止された連結ピンの端部をカム筒の切欠き部に対応させ、この切欠き部を通して連結ピンの端部をカム筒から離脱させることにより、時計バンドがバンド取付部から取り外せるように構成されている。
【発明の概要】
【発明が解決しようとする課題】
【０００６】
しかしながら、このようなバンド取付構造では、プッシュ釦を押圧操作することにより、簡単にバンド取付部から時計バンドを取り外すことができても、バンド取付部に連結ピンの端部を着脱可能に係止する着脱係止部材が、バンド取付部に回転可能に取り付けられたカム筒と、このカム筒内にスライド可能に挿入するプッシュ釦と、このプッシュ釦のスライドに伴ってカム筒を回転させる連動機構と、を有する構成であるから、構造が複雑で、部品点数が多く、製作が面倒であるという問題がある。
【０００７】
この発明が解決しようとする課題は、簡単な構造で、容易にバンドを取り外すことができるバンド取付構造およびそれを備えた腕時計を提供することである。
【課題を解決するための手段】
【０００８】
この発明は、一対の取付突起部の対向面にそれぞれ係止孔が対向して設けられたバンド取付部と、前記一対の取付突起部間に端部が配置され、この端部に貫通孔が前記係止孔と同一軸上で対応して設けられたバンドと、このバンドの前記貫通孔内に配置されるパイプ部の端部からピン部が弾力的に突出して前記一対の取付突起部の前記係止孔に挿入する連結部材と、前記一対の取付突起部の少なくとも一方にスライド可能に設けられ、押圧操作によって前記ピン部をその弾力に抗して押圧して前記係止孔内から離脱させる解除操作部と、を備えていることを特徴とするバンド取付構造である。
【発明の効果】
【０００９】
この発明によれば、解除操作部を押圧操作するだけの簡単な操作で、連結部材のピン部をバンド取付部の係止孔内から離脱させることができるので、バンド取付部からバンドを簡単にかつ容易に取り外すことができる。また、取付突起部に解除操作部をスライド可能に設けるだけで良いので、構造が簡単で、部品点数も少なく、容易に製作することができる。
【図面の簡単な説明】
【００１０】
【図１】この発明を腕時計に適用した第１実施形態において、その裏面側を示した要部の拡大斜視図である。
【図２】図１に示された腕時計のバンド取付構造のＡ−Ａ矢視において、上下反転させて示した要部の拡大断面図である。
【図３】図１に示された腕時計において、腕時計ケースから時計バンドと裏蓋とを取り外した状態の裏面側を示した要部の拡大斜視図である。
【図４】図３に示された腕時計ケースのＢ−Ｂ矢視において、上下反転させて示した要部の拡大断面図である。
【図５】この発明を腕時計に適用した第２実施形態において、バンド取付構造を示した要部の拡大断面図である。
【発明を実施するための形態】
【００１１】
（第１実施形態）
以下、図１〜図４を参照して、この発明を腕時計に適用した第１実施形態について説明する。
この腕時計は、図１および図２に示すように、腕時計ケース１と時計バンド２とを備えている。この腕時計ケース１は、図３に示すように、硬質の合成樹脂からなるケース本体１ａと、このケース本体１ａの外周に設けた軟質の合成樹脂からなるベゼル１ｂと、を有している。
【００１２】
この腕時計ケース１の裏面（図１では上面）には、図１に示すように、裏蓋３がビス４によって取り付けられている。また、この腕時計ケース１の１２時側と６時側とには、図１〜図４に示すように、時計バンド２が取り付けられるバンド取付部５がそれぞれ側方に突出して設けられている。
【００１３】
このバンド取付部５は、図１〜図４に示すように、腕時計ケース１の外側面から側方に突出する一対の取付突起部６と、これら一対の取付突起部６間における表面側（図３では下面側）に位置する下部に設けられたカバー部７と、を備えている。この場合、一対の取付突起部６は、腕時計ケース１のケース本体１ａに一体に形成された突起本体部６ａと、腕時計ケース１のベゼル１ｂに一体に形成されて突起本体部６ａの外面に配置されたベゼル突起部６ｂと、を有している。
【００１４】
同様に、カバー部７は、図２および図３に示すように、腕時計ケース１のケース本体１ａに一体に形成されたカバー本体部７ａと、腕時計ケース１のベゼル１ｂに一体に形成されてカバー本体部７ａの外面に配置されたベゼルカバー部７ｂと、を有している。このバンド取付部５は、図１および図２に示すように、時計バンド２の端部２ａがカバー部７の内面側（図２では上面側）に対応した状態で、一対の取付突起部６間に配置されるように構成されている。
【００１５】
時計バンド２は、図１および図２に示すように、ウレタン樹脂などの軟質の合成樹脂によって形成されている。この時計バンド２は、腕時計ケース１のバンド取付部５に配置される端部２ａに連結部材１０が取り付けられるように構成されている。この場合、時計バンド２は、図１に示すように、その長手方向と直交する方向の長さ（幅）が一対の取付突起部６の外端面間とほぼ同じ長さで形成されている。
【００１６】
この時計バンド２の端部２ａは、図１および図２に示すように、バンド取付部５の一対の取付突起部６間に配置されるように形成されている。すなわち、この時計バンド２の端部２ａは、時計バンド２の長手方向と直交する方向の長さ（幅）が一対の取付突起部６間の長さとほぼ同じ長さで形成されている。
【００１７】
この時計バンド２の端部２ａには、図１に示すように、時計バンド２が腕時計ケース１のバンド取付部５に取り付けられた際に、腕時計ケース１の裏蓋３の縁部を押させる押え部２ｂが設けられている。また、この時計バンド２の端部２ａには、図１および図２に示すように、連結部材１０が挿入する貫通孔１１が時計バンド２の長手方向に対して直交する方向に貫通して設けられている。
【００１８】
連結部材１０は、図１〜図４に示すように、ばね棒であり、時計バンド２の貫通孔１１に挿入するパイプ部１０ａと、このパイプ部１０ａの両端部から出没可能に突出する一対のピン部１０ｂと、パイプ部１０ａ内に設けられたコイルばね１０ｃと、を備えている。これにより、連結部材１０は、一対のピン部１０ｂがコイルばね１０ｃのばね力によってパイプ部１０ａの両端部から弾力的に押し出されるように構成されている。
【００１９】
この場合、一対のピン部１０ｂには、図２〜図４に示すように、それぞれパイプ部１０ａ側に位置する第１の鍔部１２ａと、ピン部１０ｂの外端部側に位置する第２の鍔部１２ｂとを有し、これらが所定間隔を隔てて設けられている。これら第１、第２の各鍔部１２ａ、１２ｂは、その外形がパイプ部１０ａの外形と同じ大きさに形成されている。これにより、第１、第２の各鍔部１２ａ、１２ｂは、時計バンド２の貫通孔１１内に挿入して通過するように構成されている。
【００２０】
一方、バンド取付部５における一対の取付突起部６の対向面には、図２および図４に示すように、連結部材１０の各ピン部１０ｂがそれぞれ挿入する各係止孔１３が設けられている。この場合、各係止孔１３は、一対の取付突起部６の各突起本体部６ａの対向面に、時計バンド２の貫通孔１１と同一軸上に対応して設けられている。
【００２１】
これにより、各係止孔１３は、図２および図４に示すように、連結部材１０の各ピン部１０ｂがそれぞれ挿入した際に、各係止孔１３の縁部に各ピン部１０ｂの各第２の鍔部１２ｂが当接するように構成されている。このため、各係止孔１３は、その深さが第２の鍔部１２ｂから各ピン部１２ｂの先端までの長さよりも少し長く形成されている。これにより、連結部材１０は、各ピン部１０ｂがコイルばね１０ｃによる一定のばね力で、かつ一定の挿入長さで係止孔１３内に挿入されて係止されるように構成されている。
【００２２】
ところで、バンド取付部５における一対の取付突起部６のうち、一方（図２では右側）の取付突起部６には、図２および図４に示すように、解除操作部１４がスライド可能に配置される収納孔部１５が設けられている。この収納孔部１５は、取付突起部６の突起本体部６ａに設けられた大径孔部１５ａと、取付突起部６のベゼル突起部６ｂに設けられた小径孔部１５ｂとを有し、これらが係止孔１３と同一軸上に対応した状態で連続して設けられている。
【００２３】
この場合、収納孔部１５の大径孔部１５ａは、図２および図４に示すように、その内径が係止孔１３の内径よりも十分に大きく形成されている。この大径孔部１５ａは、取付突起部６の突起本体部６ａ内において、係止孔１３の内端部から突起本体部６ａの外端面に亘って設けられている。また、収納孔部１５の小径孔部１５ｂは、その内径が大径孔よりも小さく、かつ係止孔１３の内径よりも少し大きく形成されている。この小径孔部１５ｂは、取付突起部６のベゼル突起部６ｂに貫通して設けられている。
【００２４】
解除操作部１４は、図２および図４に示すように、取付突起部６の係止孔１３内に出没可能に挿入する挿入突起部１６と、この挿入突起部１６を係止孔１３内に向けて押圧する操作部１７とを有し、この操作部１７が収納孔部１５内にスライド可能に設けられた構成になっている。この場合、挿入突起部１６は、金属からなり、その端部がインサート成型によって操作部１７の端面に埋め込まれて操作部１７と一体に形成されている。
【００２５】
この挿入突起部１６は、図２および図４に示すように、その外径が係止孔１３の内径と同じ大きさに形成され、操作部１７の内端部から係止孔１３に向けて突出して設けられている。操作部１７は、合成樹脂からなり、収納孔部１５の大径孔部１５ａ内にスライド可能に配置される大径の操作本体部１７ａと、収納孔部１５の小径孔部１５ｂ内にスライド可能に配置されて小径孔部１５ｂの外部に出没可能に突出する小径の解除釦部１７ｂとを備えている。
【００２６】
これにより、解除操作部１４は、図２および図４に示すように、解除釦部１７ｂの外端部を押圧操作して操作本体部１７ａを連結部材１０に向けてスライドさせると、この操作本体部１７ａによって挿入突起部１６が連結部材１０のコイルばね１０ｃのばね力に抗して係止孔１３内に押し込まれ、係止孔１３内からピン部１０ｂを押し出すように構成されている。
【００２７】
この場合、解除操作部１４は、図２および図４に示すように、時計バンド２に取り付けられた連結部材１０のピン部１０ｂがコイルばね１０ｃのばね力によって取付突起部６の係止孔１３に挿入されると、このピン部１０ｂによって挿入突起部１６が係止孔１３内から収納孔部１５の大径孔部１５ａ内に押し出され、これに伴って操作本体部１７ａがスライドして解除釦部１７ｂの外端部が小径孔部１５ｂから外部に押し出されるように構成されている。
【００２８】
また、この解除操作部１４は、図２および図４に示す状態で、連結部材１０のコイルばね１０ｃのばね力に抗して解除釦部１７ｂの外端部を押圧操作すると、操作本体部１７ａが連結部材１０に向けてスライドして挿入突起部１６を係止孔１３内に押し込み、この挿入突起部１６が係止孔１３内に挿入されている連結部材１０のピン部１０ｂをパイプ部１０ａ内に押し込んで、係止孔１３内からピン部１０ｂを離脱させるように構成されている。
【００２９】
この場合、解除操作部１４が設けられた取付突起部６の対向面、つまり突起本体部６ａの対向面には、図２および図４に示すように、連結部材１０のピン部１０ｂの先端部を係止孔１３に向けてガイドする傾斜ガイド溝１８が設けられている。この傾斜ガイド溝１８は、連結部材１０のピン部１０ｂの外径と同じ幅で、取付突起部６の突起本体部６ａにおける対向面の下端部から係止孔１３に亘って設けられている。
【００３０】
すなわち、この傾斜ガイド溝１８は、図２および図４に示すように、取付突起部６の下端部側の溝の深さが深く、係止孔１３に向けて溝の深さが次第に浅くなるような勾配をもって形成されている。これにより、連結部材１０は、ピン部１０ｂの先端部が傾斜ガイド溝１８内に挿入された状態で、取付突起部６の下端部側から係止孔１３に向けて移動する際に、ピン部１０ｂがコイルばね１０ｃのばね力に抗してパイプ部１０ａ内に徐々に押し込まれながら移動して係止孔１３に対応するように構成されている。
【００３１】
また、この連結部材１０は、図２および図４に示すように、ピン部１０ｂが係止孔１３から押し出されて、傾斜ガイド溝１８内に配置された際に、ピン部１０ｂがコイルばね１０ｃのばね力によってパイプ部１０ａ内から徐々に押し出されながら、傾斜ガイド溝１８内を係止孔１３側から取付突起部６の下端部側に向けて移動して、傾斜ガイド溝１８から離脱するように構成されている。
【００３２】
さらに、取付突起部６の外面、つまり取付突起部６のベゼル突起部６ｂの外面には、図２および図４に示すように、解除釦部１７ｂの外端部の一部を囲う保護部１９が設けられている。この保護部１９は、解除釦部１７ｂの外端部における上側のほぼ半分程度を囲み、下側のほぼ半分程度を開放するように形成されている。これにより、解除釦部１７ｂは、その外端部の下側がベゼル突起部６ｂの外部に露出し、この露出した外端部を指先で押せるように構成されている。
【００３３】
次に、この腕時計のバンド取付構造の作用について説明する。
時計バンド２を腕時計ケース１に取り付ける場合には、まず、時計バンド２の端部２ａに設けられた貫通孔１１に連結部材１０を挿入する。このときには、連結部材１０の一対のピン部１０ｂの一方を時計バンド２の貫通孔１１の一方の端部から第１、第２の各鍔部１２ａ、１２ｂと共に挿入して、パイプ部１０ａを時計バンド２の貫通孔１１内に配置する。
【００３４】
この状態では、連結部材１０の一対のピン部１０ｂが、コイルばね１０ｃのばね力によって押し出されて、時計バンド２の貫通孔１１の両側から突出する。この状態で、連結部材１０が時計バンド２の端部２ａに取り付けられる。この時計バンド２の端部２ａを腕時計ケース１のバンド取付部５に取り付ける際には、まず、連結部材１０の一対のピン部１０ｂをコイルばね１０ｃのばね力に抗してパイプ部１０ａ内に向けて押し込む。
【００３５】
この状態で、時計バンド２の端部２ａをバンド取付部５の一対の取付突起部６間にその下側から挿入させて配置する。このときには、連結部材１０の一対のピン部１０ｂのうち、一方（図２では右側）のピン部１０ｂの先端を一方の取付突起部６の傾斜ガイド溝１８に対応させ、他方（図２では左側）のピン部１０ｂの先端を他方の取付突起部６の対向面に対応させる。
【００３６】
この状態で、連結部材１０の一対のピン部１０ｂがコイルばね１０ｃのばね力によって押し出されると、一方（図２では右側）のピン部１０ｂの先端が一方の取付突起部６の傾斜ガイド溝１８に挿入して当接し、他方（図２では左側）のピン部１０ｂの先端が他方の取付突起部６の対向面に当接する。この状態で、一方のピン部１０ｂの先端を取付突起部６の傾斜ガイド溝１８に沿って移動させると共に、他方のピン部１０ｂの先端を他方の取付突起部６の対向面に沿って移動させる。
【００３７】
そして、一方のピン部１０ｂの先端を取付突起部６の傾斜ガイド溝１８から一方の取付突起部６の係止孔１３に対応させると共に、他方のピン部１０ｂの先端を他方の取付突起部６の係止孔１３に対応させる。すると、連結部材１０の一対のピン部１０ｂがコイルばね１０ｃのばね力によって押し出されて、一方のピン部１０ｂの先端が一方の取付突起部６の係止孔１３に挿入されて係止されると共に、他方のピン部１０ｂの先端が他方の取付突起部６の係止孔１３に挿入されて係止される。
【００３８】
このときには、一対のピン部１０ｂの各第２の鍔部１２ｂが一対の取付突起部６の対向面にそれぞれ当接する。このため、連結部材１０の一対のピン部１０ｂは、それぞれ一対の取付突起部６の各係止孔１３に一定のばね力でかつ一定の挿入長さで係止される。これにより、時計バンド２の端部２ａがバンド取付部５の一対の取付突起部６間に配置された状態で連結部材１０によって取り付けられる。
【００３９】
また、このときには、解除操作部１４の挿入突起部１６が連結部材１０のピン部１０ｂによって取付突起部６の係止孔１３から取付突起部６の収納孔部１５内に押し込まれる。このため、操作部１７が挿入突起部１６によって取付突起部６の収納孔部１５内を外部側に向けてスライドする。これにより、操作部１７の操作本体部１７ａが収納孔部１５の小径孔部１５ｂの端面に当接し、操作部１７の解除釦部１７ｂの外端部が取付突起部６の外部に押し出されて突出する。
【００４０】
この状態では、解除操作部１４の解除釦部１７ｂにおける外端部の上側のほぼ半分程度が取付突起部６の外面に設けられた保護部１９で囲われている。このため、腕時計ケース１を誤って物にぶつけても、保護部１９によって解除操作部１４の解除釦部１７ｂが不用意に押し込まれることがない。これにより、解除操作部１４の挿入突起部１６が連結部材１０のピン部１０ｂを取付突起部６の係止孔１３から押し出して離脱させることがないので、時計バンド２がバンド取付部５から不用意に外れることがない。
【００４１】
一方、時計バンド２をバンド取付部５から取り外す場合には、解除操作部１４の解除釦部１７ｂの外端部を連結部材１０のコイルばね１０ｃのばね力に抗して収納孔部１５内に向けて押し込めば良い。このときには、解除釦部１７ｂの外端部における下側のほぼ半分程度が保護部１９で囲われていないため、この保護部１９で囲われていない解除釦部１７ｂの外端部を指先で押せば良い。
【００４２】
このように解除操作部１４の解除釦部１７ｂの外端部が収納孔部１５内に向けて押し込まれると、解除釦部１７ｂが収納孔部１５の小径孔部１５ｂ内から大径孔部１５ａ内に押し込まれる。これに伴って、解除操作部１４の操作部１７の操作本体部１７ａが収納孔部１５の大径孔部１５ａ内でスライドして、解除操作部１４の挿入突起部１６を取付突起部６の係止孔１３内に押し込む。
【００４３】
すると、解除操作部１４の挿入突起部１６が、取付突起部６の係止孔１３内に挿入されている連結部材１０のピン部１０ｂを、コイルばね１０ｃのばね力に抗してパイプ部１０ａ内に向けて押し込む。これにより、連結部材１０のピン部１０ｂが取付突起部６の係止孔１３内から押し出される。この状態で、時計バンド２をバンド取付部５の下側に向けて引っ張ると、連結部材１０のピン部１０ｂの先端部が取付突起部６の傾斜ガイド溝１８内に挿入し、この傾斜ガイド溝１８に沿って取付突起部６の下側に向けて移動する。
【００４４】
このときには、傾斜ガイド溝１８が取付突起部６の下端部側の溝の深さが深く、係止孔１３に向けて溝の深さが次第に浅くなるような勾配をもって形成されているため、ピン部１０ｂの先端部が取付突起部６の係止孔１３から離脱して傾斜ガイド溝１８内に挿入されると、コイルばね１０ｃのばね力によってピン部１０ｂが徐々に押し出されながら、傾斜ガイド溝１８によってガイドされて、傾斜ガイド溝１８の下部側に移動する。
【００４５】
これにより、連結部材１０のピン部１０ｂが傾斜ガイド溝１８の下端部から離脱する。このときには、連結部材１０の反対側のピン部１０ｂを取付突起部６の係止孔１３内から抜き出すことができる。このため、連結部材１０によってバンド取付部５に取り付けられていた時計バンド２をバンド取付部５から取り外すことができる。
【００４６】
このように、この腕時計のバンド取付構造によれば、一対の取付突起部６の対向面にそれぞれ係止孔１３が対向して設けられたバンド取付部５と、一対の取付突起部６間に配置される端部２ａに貫通孔１１が係止孔１３と同一軸上で対応して設けられた時計バンド２と、この時計バンド２の貫通孔１１内に配置されるパイプ部１０ａの両端部から各ピン部１０ｂがそれぞれ弾力的に突出して一対の取付突起部６の各係止孔１３に挿入する連結部材１０と、一対の取付突起部６の一方にスライド可能に設けられ、押圧操作によってピン部１０ｂをその弾力に抗して押圧して係止孔１３内から離脱させる解除操作部１４と、を備えていることにより、簡単な構造で、容易に時計バンド２を取り外すことができる。
【００４７】
すなわち、この腕時計のバンド取付構造では、解除操作部１４を連結部材１０のピン部１０ｂの弾力に抗して押圧操作するだけの簡単な操作で、連結部材１０のピン部１０ｂをバンド取付部５の係止孔１３内から離脱させることができるので、バンド取付部５から時計バンド２を簡単にかつ容易に取り外すことができる。また、一対の取付突起部６のうち、一方の取付突起部６に解除操作部１４をスライド可能に設けるだけで良いので、構造が簡単で、部品点数も少なく、製作も容易にできる。
【００４８】
この場合、解除操作部１４は、取付突起部６の係止孔１３内に出没可能に挿入し、かつ連結部材１０のピン部１０ｂによって弾力的に押される挿入突起部１６と、この挿入突起部１６をピン部１０ｂの弾力に抗して係止孔１３内に向けて押圧する操作部１７とを有していることにより、操作部１７をピン部１０ｂの弾力に抗して係止孔１３に向けて押圧操作してスライドさせるだけで、挿入突起部１６を係止孔１３内に挿入させることができるので、係止孔１３内に挿入されている連結部材１０のピン部１０ｂを係止孔１３内から確実にかつ良好に押し出して離脱させることができる。
【００４９】
すなわち、この解除操作部１４は、金属製の挿入突起部１６を合成樹脂製の操作部１７にインサート成型によって一体に形成することができると共に、操作部１７が、取付突起部６に設けられた収納孔部１５の大径孔部１５ａ内にスライド可能に配置された操作本体部１７ａと、収納孔部１５の小径孔部１５ｂ内にスライド可能に配置されて取付突起部６の外部に突出する解除釦部１７ｂとを一体に形成した構成であるから、解除操作部１４の構造が簡単で、部品点数も少なく、製作も容易で、組み付け作業も簡単にできる。
【００５０】
この場合、解除操作部１４は、時計バンド２に取り付けられた連結部材１０のコイルばね１０ｃのばね力によってピン部１０ｂが取付突起部６の係止孔１３内に挿入されるので、操作部１７の解除釦部１７ｂの外端部を自動的に取付突起部６の外部に押し出することができる。また、コイルばね１０ｃのばね力に抗して操作部１７の解除釦部１７ｂを押圧操作して解除操作部１４をスライドさせるだけで、ピン部１０ｂを係止孔１３内から確実にかつ良好に押し出して離脱させることができるので、操作性が良い。
【００５１】
また、このバンド取付構造では、解除操作部１４が設けられた取付突起部６に、連結部材１０のピン部１０ｂの先端部を係止孔１３にガイドする傾斜ガイド溝１８が設けられているので、解除操作部１４によって連結部材１０のピン部１０ｂが取付突起部６の係止孔１３内から押し出された際に、この押し出されたピン部１０ｂを傾斜ガイド溝１８で円滑にガイドして取付突起部６から容易に離脱させることができ、これにより時計バンド２をバンド取付部５から簡単にかつ容易に取り外すことができる。
【００５２】
この場合、傾斜ガイド溝１８は、取付突起部６の下端部側の溝の深さが深く、係止孔１３に向けて溝の深さが次第に浅くなるような勾配をもって形成されているため、取付突起部６の係止孔１３から離脱したピン部１０ｂの先端部を傾斜ガイド溝１８によって徐々にガイドしながら移動させる際に、連結部材１０のコイルばね１０ｃのばね力によってピン部１０ｂを徐々に押し出しながら傾斜ガイド溝１８の下端部から円滑かつ良好に離脱させることができる。
【００５３】
また、この傾斜ガイド溝１８は、時計バンド３の貫通孔１１に連結部材１０のパイプ部１０ａが挿入されて取り付けられた状態で、時計バンド２をバンド取付部５に取り付ける際に、連結部材１０のパイプ部１０ａの両端部から突出した一方のピン部１０ｂを傾斜ガイド溝１８によって取付突起部６の係止孔１３にガイドすることができるので、連結部材１０のピン部１０ｂを取付突起部６の係止孔１３に確実にかつ良好に挿入させて係止することができる。
【００５４】
すなわち、傾斜ガイド溝１８は、取付突起部６の下端部側の溝の深さが深く、係止孔１３に向けて溝の深さが次第に浅くなるような勾配をもって形成されているため、連結部材１０のパイプ部１０ａの両端部から突出した一方のピン部１０ｂが傾斜ガイド溝１８によってガイドされながら移動する際に、コイルばね１０ｃのばね力に抗してピン部１０ｂをパイプ部１０ａ内に押込みながら移動させることができる。
【００５５】
このため、傾斜ガイド溝１８は、連結部材１０のピン部１０ｂを円滑にかつ良好にガイドすることができるので、ピン部１０ｂの先端を取付突起部６の係止孔１３に確実に対応させることができ、この状態でコイルばね１０ｃのばね力によってピン部１０ｂを係止孔１３に確実に押し込んで係止させることができる。
【００５６】
さらに、このバンド取付構造では、取付突起部６の外面に解除操作部１４の外端部の一部を囲む保護部１９が設けられていることにより、腕時計ケース１を誤って物にぶつけても、保護部１９によって解除操作部１４の解除釦部１７ｂが押し込まれるのを防ぐことができる。このため、解除操作部１４の挿入突起部１６が不用意に連結部材１０のピン部１０ｂを取付突起部６の係止孔１３から押し出して離脱させることがないので、時計バンド２がバンド取付部５から不用意に外れるのを防ぐことができる。
【００５７】
（第２実施形態）
次に、図５を参照して、この発明を腕時計に適用した第２実施形態について説明する。なお、図１〜図４に示された第１実施形態と同一部分には同一符号を付して説明する。
この腕時計のバンド取付構造は、図５に示すように、連結部材１０の一対のピン部１０ａのうち、一方のピン部１０ｂに第１実施形態と異なる第２の鍔部２０を設けた構成であり、これ以外は第１実施形態とほぼ同じ構成になっている。
【００５８】
すなわち、この連結部材１０の一対のピン部１０ｂのうち、解除操作部１４と反対側（図５では左側）に位置するピン部１０ｂには、図５に示すように、第１の鍔部１２ａと第２の鍔部２０とが所定間隔を隔てて設けられている。第１の鍔部１２ａは、第１実施形態と同様、パイプ部１０ａ側に位置し、その外形がパイプ部１０ａの外形と同じ大きさに形成されている。
【００５９】
一方、第２の鍔部２０は、図５に示すように、ピン部１０ｂの外端部側に位置し、その外形が時計バンド２の端部２ａに設けられた貫通孔１１の内径よりも大きく形成されている。このため、この第２の鍔部２０は、時計バンド２の端部２ａに設けられた貫通孔１１を通して抜けないように構成されている。この場合、時計バンド２の端部２ａにおける貫通孔１１の端部には、第２の鍔部２０の外周縁が配置される切欠き部２１が設けられている。
【００６０】
また、連結部材１０の一対のピン部１０ｂのうち、解除操作部１４側（図５では右側）に位置するピン部１０ｂには、第１実施形態と同様、パイプ部１０ａの外径と同じ大きさの第１、第２の各鍔部１２ａ、１２ｂが所定間隔を隔てて設けられている。これにより、第１、第２の各鍔部１２ａ、１２ｂは、時計バンド２の貫通孔１１内に挿入して通過するように構成されている。
【００６１】
次に、このようなバンド取付構造の作用について説明する。
時計バンド２を腕時計ケース１に取り付ける場合には、まず、時計バンド２の端部２ａに設けられた貫通孔１１に連結部材１０を挿入する。このときには、連結部材１０の一対のピン部１０ｂのうち、貫通孔１１の内径よりも大きい第２の鍔部２０が設けられていない一方のピン部１０ｂを時計バンド２の貫通孔１１の一方の端部から第１、第２の各鍔部１２ａ、１２ｂと共に挿入して、パイプ部１０ａを時計バンド２の貫通孔１１内に配置する。
【００６２】
これにより、連結部材１０の一対のピン部１０ｂが、コイルばね１０ｃのばね力に押し出されて、時計バンド２の貫通孔１１の両側から突出し、この状態で連結部材１０が時計バンド２の端部２ａに取り付けられる。この時計バンド２の端部２ａを腕時計ケース１のバンド取付部５に取り付ける際には、第１実施形態と同様、連結部材１０の一対のピン部１０ｂをコイルばね１０ｃのばね力に抗してパイプ部１０ａ内に向けて押し込む。
【００６３】
この状態で、時計バンド２の端部２ａをバンド取付部５の一対の取付突起部６間にその下側から挿入させて配置する。このときには、第１実施形態と同様、連結部材１０の一対のピン部１０ｂのうち、貫通孔１１の内径よりも大きい第２の鍔部２０が設けられていない一方（図５では右側）のピン部１０ｂの先端を取付突起部６の傾斜ガイド溝１８に対応させて当接させ、他方（図５では左側）のピン部１０ｂの先端を他方の取付突起部６の対向面に対応させて当接させる。
【００６４】
この状態で、一方（図５では右側）のピン部１０ｂの先端を取付突起部６の傾斜ガイド溝１８に沿って移動させると共に、他方（図５では左側）のピン部１０ｂの先端を他方の取付突起部６の対向面に沿って移動させる。そして、一方のピン部１０ｂの先端を取付突起部６の傾斜ガイド溝１８から一方の取付突起部６の係止孔１３に対応させると共に、他方のピン部１０ｂの先端を他方の取付突起部６の係止孔１３に対応させる。
【００６５】
すると、連結部材１０の一対のピン部１０ｂがコイルばね１０ｃのばね力によって押し出されて、一方（図５では右側）のピン部１０ｂの先端が一方の取付突起部６の係止孔１３に挿入されて係止されると共に、他方（図５では左側）のピン部１０ｂの先端が他方の取付突起部６の係止孔１３に挿入されて係止される。このときには、一方のピン部１０ｂの第２の鍔部１２ｂが一方の取付突起部６の対向面に当接すると共に、他方のピン部１０ｂの第２の鍔部２０が他方の取付突起部６の対向面に当接する、
【００６６】
このため、連結部材１０の一対のピン部１０ｂは、第１実施形態と同様、それぞれ一対の取付突起部６の各係止孔１３に一定のばね力でかつ一定の挿入長さで係止される。これにより、時計バンド２の端部２ａがバンド取付部５の一対の取付突起部６間に配置された状態で連結部材１０によって取り付けられる。
【００６７】
また、時計バンド２をバンド取付部５から取り外す場合には、第１実施形態と同様、解除操作部１４の解除釦部１７ｂの外端部を連結部材１０のコイルばね１０ｃのばね力に抗して収納孔部１５内に向けて押し込めば良い。これにより、取付突起部６の係止孔１３内に挿入されている連結部材１０のピン部１０ｂがコイルばね１０ｃのばね力に抗してパイプ部１０ａ内に向けて押し込まれて、取付突起部６の係止孔１３内から押し出される。
【００６８】
この状態で、時計バンド２をバンド取付部５の下側に向けて引っ張ると、連結部材１０のピン部１０ｂの先端部が取付突起部６の傾斜ガイド溝１８内に挿入し、この傾斜ガイド溝１８に沿って取付突起部６の下側に向けて移動する。これにより、連結部材１０のピン部１０ｂが傾斜ガイド溝１８の下端部から離脱する。
【００６９】
このときには、連結部材１０のピン部１０ｂがコイルばね１０ｃのばね力によって急激に押し出されても、傾斜ガイド溝１８の下端部から離脱したピン部１０ｂと反対側に位置するピン部１０ｂの第２の鍔部２０が時計バンド２の貫通孔１１を通り抜けることがないので、連結部材１０が時計バンド２の貫通孔１１から飛び出すことがない。
【００７０】
これにより、時計バンド２をバンド取付部５から取り外すことができる。そして、この取り外した時計バンド２の貫通孔１１から連結部材１０を取り外す際には、第２の鍔部２０が設けられているピン部１０ｂ側を引っ張ることにより、連結部材１０を時計バンド２の貫通孔１１から引き抜けば良い。
【００７１】
このように、この腕時計のバンド取付構造によれば、第１実施形態と同様の作用効果があるほか、連結部材１０の一対のピン部１０ｂのうち、解除操作部１４と反対側に位置する一方のピン部１０ｂに時計バンド２の貫通孔１１の内径よりも大きい第２の鍔部２０が設けられているので、時計バンド２をバンド取付部５から取り外す際に、連結部材１０の第２の鍔部２０と反対側のピン部１０ｂが傾斜ガイド溝１８の下端部から離脱して、連結部材１０の一対のピン部１０ｂがコイルばね１０ｃのばね力によって急激に押し出されても、連結部材１０が時計バンド２の貫通孔１１から抜け出すのを防ぐことができる。
【００７２】
すなわち、このバンド取付構造では、一方のピン部１０ｂに設けられた第２の鍔部２０が時計バンド２の貫通孔１１の内径よりも大きく形成されているので、連結部材１０のピン部１０ｂが傾斜ガイド溝１８の下端部から離脱して、連結部材１０の一対のピン部１０ｂがコイルばね１０ｃのばね力によって急激に押し出された際に、第２の鍔部２０によって連結部材１０が時計バンド２の貫通孔１１を通り抜けないようにすることができ、これにより連結部材１０が時計バンド２の貫通孔１１から飛び出して紛失するのを防ぐことができる。
【００７３】
なお、上述した第１、第２の各実施形態では、連結部材１０の一対のピン部１０ｂにそれぞれ第１、第２の各鍔部１２ａ、１２ｂ、２０を設けた場合について述べたが、これに限らず、例えば第２の鍔部１２ｂ、２０のみを設けただけの構成であっても良く、また必ずしも第１、第２の鍔部１２ａ、１２ｂ、２０が設けられている構成である必要はない。
【００７４】
また、上述した第１、第２の各実施形態では、解除操作部１４が金属製の操作突起部１６と合成樹脂製の操作部１７とをインサート成型によって一体に形成した場合について述べた、これに限らず、操作突起部１６と操作部１７とを同じ合成樹脂で一体に形成した構成であっても良い。
【００７５】
さらに、上述した第１、第２の各実施形態では、バンド取付部５の一対の取付突起部６の一方に解除操作部１４を設けた場合について述べたが、これに限らず、例えば一対の取付突起部６の両方に解除操作部１４をそれぞれ設けた構成であっても良い。
【００７６】
また、上述した第１、第２の各実施形態では、時計バンド２がウレタン樹脂などの合成樹脂で形成されている場合について述べたが、これに限らず、例えば金属駒を順次連結した金属製の時計バンドにも適用することができる。
【００７７】
さらに、上述した第１、第２の各実施形態では、腕時計に適用した場合について述べたが、必ずしも腕時計である必要はなく、例えば腕に装着して使用する腕装着型の電子機器、あるいは鞄、またはバッグなどのバンド取付構造にも適用することができる。
【００７８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７９】
（付記）
請求項１に記載の発明は、一対の取付突起部の対向面にそれぞれ係止孔が対向して設けられたバンド取付部と、前記一対の取付突起部間に端部が配置され、この端部に貫通孔が前記係止孔と同一軸上で対応して設けられたバンドと、前記バンドの前記貫通孔内に配置されるパイプ部の端部からピン部が弾力的に突出して前記一対の取付突起部の前記係止孔に挿入する連結部材と、前記一対の取付突起部の少なくとも一方にスライド可能に設けられ、押圧操作によって前記ピン部をその弾力に抗して押圧して前記係止孔内から離脱させる解除操作部と、を備えていることを特徴とするバンド取付構造である。
【００８０】
請求項２に記載の発明は、請求項１に記載のバンド取付構造において、前記解除操作部は、前記取付突起部の前記係止孔内に出没可能に挿入し、かつ前記連結部材の前記ピン部によって弾力的に押される挿入突起部と、この挿入突起部を前記ピン部の弾力に抗して前記係止孔に向けて押圧する操作部とを有していることを特徴とするバンド取付構造である。
【００８１】
請求項３に記載の発明は、請求項１または請求項２に記載のバンド取付構造において、前記解除操作部が設けられた前記取付突起部には、前記連結部材の前記ピン部の先端部を前記係止孔にガイドする傾斜ガイド溝が設けられていることを特徴とするバンド取付構造である。
【００８２】
請求項４に記載の発明は、請求項１〜請求項３のいずれかに記載のバンド取付構造において、前記連結部材の前記ピン部のうち、前記解除操作部と反対側に位置する一方のピン部には、前記バンドの前記貫通孔の内径よりも大きい鍔部が設けられていることを特徴とするバンド取付構造である。
【００８３】
請求項５に記載の発明は、請求項１〜請求項４のいずれかに記載のバンド取付構造において、前記取付突起部には、前記解除操作部の外端部の一部を囲む保護部が設けられていることを特徴とするバンド取付構造である。
【００８４】
請求項６に記載の発明は、請求項１〜請求項５のいずれかに記載されたバンド取付構造を備えていることを特徴とする腕時計である。
【符号の説明】
【００８５】
１  腕時計ケース
２  時計バンド
２ａ  端部
５  バンド取付部
６  一対の取付突起部
１０  連結部材
１０ａ  パイプ部
１０ｂ  ピン部
１０ｃ  コイルばね
１１  貫通孔
１２ａ、１２ｂ  第１、第２の各鍔部
１３  係止孔
１４  解除操作部
１５  収納孔部
１６  挿入突起部
１７  操作部
１７ａ  操作本体部
１７ｂ  解除釦部
１８  傾斜ガイド溝
１９  保護部
２０  第２の鍔部
【図１】
2015112442.tif 000003
【図２】
2015112442.tif 000004
【図３】
2015112442.tif 000005
【図４】
2015112442.tif 000006
【図５】
2015112442.tif 000007